(57)【要約】【課題】衛生部分の殺菌作用および優れた携帯性を有する口腔衛生装置を提供する。【解決手段】電動歯ブラシ１は、ブラシ体３０を有する装置本体１０と、装置本体１０への取り付けおよび装置本体１０からの取り外しが可能かつブラシ体３０を保護するキャップ５０とを有する。キャップ５０は、ブリッスル束４０を殺菌する殺菌装置７０を有し、キャップ５０は、殺菌装置７０の紫外線をブリッスル束４０に向けて反射する鏡面部分６６を有する。【選択図】図１
2013111129.tif 000002
【特許請求の範囲】
【請求項１】
衛生部分を有する装置本体と、前記衛生部分を覆うキャップとを有する口腔衛生装置において、
前記装置本体および前記キャップの少なくとも一方は、前記衛生部分を殺菌する光源を有し、
前記装置本体、前記衛生部分、および前記キャップの少なくとも１つは、前記光源の光を前記衛生部分に向けて反射する鏡面部分を有する。
【請求項２】
請求項１において、
前記光源は、前記キャップのうちの前記衛生部分と対向する部分に位置し、
前記キャップは、前記鏡面部分を有する。
【請求項３】
請求項２において、
前記キャップは、内部に反射部材を有し、
前記反射部材は、前記鏡面部分を有する。
【請求項４】
請求項３において、
前記反射部材は、復元力により前記キャップの内面を押す。
【請求項５】
請求項１〜４のいずれか一項において、
前記装置本体は、前記光源に電力を供給する電源を有し、
前記装置本体および前記キャップは、前記電源および前記光源を互いに接続する通電回路を有し、
前記鏡面部分は、前記通電回路の一部を構成する。
【請求項６】
請求項１〜５のいずれか一項において、
前記衛生部分は、ブリッスル束と、前記ブリッスル束が植毛される植毛台とを有し、
前記植毛台は、前記鏡面部分を有する。
【発明の詳細な説明】
【技術分野】
【０００１】
本発明は、衛生部分を有する装置本体と、衛生部分を覆うキャップとを有する口腔衛生装置に関する。
【背景技術】
【０００２】
人の口腔内は、多数の細菌が住み着いている。このため、口腔衛生装置により口腔内をケアしたとき、歯垢および食物滓に加えて多数の細菌が口腔衛生装置の衛生部分に付着する。使用者は、多くの場合、口腔衛生装置の使用後に衛生部分を水洗いする。しかし、水分が付着した状態で長時間にわたり放置された場合、適当な水分および養分が与えられた細菌が繁殖する。
【０００３】
特許文献１の携帯用殺菌装置は、細菌の繁殖を抑制するため、口腔衛生装置（歯ブラシ）を収納する本体ケースに殺菌用の光源を有する。
【先行技術文献】
【特許文献】
【０００４】
【特許文献１】特開２００５−１１１０３４号公報
【発明の概要】
【発明が解決しようとする課題】
【０００５】
上記携帯用殺菌装置の使用者は、ブリッスル束の殺菌作用が得られる状態で歯ブラシを携帯するためには、本体ケースと歯ブラシと併せて携帯することが必要になる。一方、本体ケースは、歯ブラシを収納するための空間を有するため、歯ブラシよりもサイズが大きい。このため、携帯性の観点からすると改善の余地が残されている。
【０００６】
なお、ここでは口腔衛生装置としての歯ブラシの課題について検討したが、殺菌のための光源を有する他の口腔衛生装置（例えばステイン除去装置）においても上記の課題は概ね共通する。
【０００７】
本発明は、上記課題を解決するため、衛生部分の殺菌作用および優れた携帯性を有する口腔衛生装置を提供することを目的とする。
【課題を解決するための手段】
【０００８】
・本発明の口腔衛生装置は、衛生部分を有する装置本体と、前記衛生部分を覆うキャップとを有し、前記装置本体および前記キャップの少なくとも一方は前記衛生部分を殺菌する光源を有し、前記装置本体、前記衛生部分、および前記キャップの少なくとも１つは、前記光源の光を前記衛生部分に向けて反射する鏡面部分を有することを特徴としている。
【０００９】
・上記口腔衛生装置において、前記光源は、前記キャップのうちの前記衛生部分と対向する部分に位置し、前記キャップは、前記鏡面部分を有することが好ましい。
・上記口腔衛生装置において、前記キャップは、内部に反射部材を有し、前記反射部材は、前記鏡面部分を有することが好ましい。
【００１０】
・上記口腔衛生装置において、前記反射部材は、復元力により前記キャップの内面を押すことが好ましい。
・上記口腔衛生装置において、前記装置本体は、前記光源に電力を供給する電源を有し、前記装置本体および前記キャップは、前記電源および前記光源を互いに接続する通電回路を有し、前記鏡面部分は、前記通電回路の一部を構成することが好ましい。
【００１１】
・上記口腔衛生装置において、前記衛生部分は、ブリッスル束と、前記ブリッスル束が植毛される植毛台とを有し、前記植毛台は、前記鏡面部分を有することが好ましい。
【発明の効果】
【００１２】
本発明は、衛生部分の殺菌作用および優れた携帯性を有する口腔衛生装置を提供する。
【図面の簡単な説明】
【００１３】
【図１】本発明の第１実施形態の電動歯ブラシについて、（ａ）は部分断面構造を示す断面図、（ｂ）は（ａ）の殺菌装置およびその周辺の拡大構造を示す断面図、（ｃ）はキャップの上部分の正面構造を示す正面図。
【図２】第１実施形態の電動歯ブラシについて、（ａ）はキャップおよび導電筒の斜視構造を示す斜視図、（ｂ）はキャップに導電筒を挿入した状態のキャップおよび導電筒の断面構造を示す断面図。
【図３】第１実施形態の電動歯ブラシについて、殺菌装置の斜視構造を示す斜視図。
【図４】第１実施形態の電動歯ブラシについて、図１（ｃ）のＡ−Ａ平面の断面構造を示す断面図。
【図５】第１実施形態の電動歯ブラシについて、通電経路の構成を示す回路図。
【図６】本発明の第２実施形態の電動歯ブラシについて、（ａ）は部分断面構造を示す断面図、（ｂ）は（ａ）のＢ−Ｂ平面の断面構造を示す断面図、（ｃ）は（ａ）のＣ−Ｃ平面の断面構造を示す断面図。
【図７】本発明のその他の実施形態の電動歯ブラシについて、（ａ）は殺菌装置およびその周辺の断面構造を示す断面図、（ｂ）は（ａ）のＤ−Ｄ平面の断面構造を示す断面図。
【図８】本発明のその他の実施形態の電動歯ブラシについて、殺菌装置およびその周辺の断面構造を示す断面図。
【図９】本発明のその他の実施形態の電動歯ブラシについて、殺菌装置およびその周辺の断面構造を示す断面図。
【図１０】本発明のその他の実施形態の電動歯ブラシについて、（ａ）はブラシヘッドおよびその周辺の断面構造を示す断面図、（ｂ）は（ａ）の一点鎖線の拡大構造を示す断面図。
【図１１】本発明のその他の実施形態の電動歯ブラシについて、ブラシ体およびその周辺の断面構造を示す断面図。
【発明を実施するための形態】
【００１４】
（第１実施形態）
図１を参照して、電動歯ブラシ１の構成について説明する。
図１（ａ）に示されるように、電動歯ブラシ１は、使用者が把持する装置本体１０と、歯を清掃する複数のブリッスル束４０を有するブラシ体３０と、ブラシ体３０を保護するキャップ５０とを有する。なお、電動歯ブラシ１は「口腔衛生装置」に相当する。また、ブラシ体３０は「衛生部分」に相当する。
【００１５】
キャップ５０は、装置本体１０への取り付けおよび装置本体１０からの取り外しが可能な構造を有する。キャップ５０は、装置本体１０に取り付けられた状態において、ブラシ体３０の全体を覆う。
【００１６】
ここで、電動歯ブラシ１についての各方向を次のように定義する。
（Ａ）電動歯ブラシ１の長手方向を「軸方向ＺＡ」とする。
（Ｂ）電動歯ブラシ１の正面視において軸方向ＺＡと直交する方向を「幅方向ＺＢ」とする。
（Ｃ）軸方向ＺＡおよび幅方向ＺＢに直交する方向を「奥行方向ＺＣ」とする。
（Ｄ）軸方向ＺＡにおいて装置本体１０からブラシ体３０に向かう方向を「上方ＺＡ１」とし、軸方向ＺＡにおいて上方ＺＡ１とは反対方向を「下方ＺＡ２」とする。
（Ｅ）幅方向ＺＢにおいて電動歯ブラシ１の正面視の左側に向かう方向を「左方ＺＢ１」とし、幅方向ＺＢにおいて左方ＺＢ１とは反対方向を「右方ＺＢ２」とする。
（Ｆ）奥行方向ＺＣにおいて、ブリッスル束４０の基端部分から先端部分に向かう方向を「前方ＺＣ１」とし、奥行方向ＺＣにおいて前方ＺＣ１とは反対方向を「後方ＺＣ２」とする。
【００１７】
ブラシ体３０は、複数のブリッスル束４０と、装置本体１０への取り付けおよび装置本体１０からの取り外しが可能なブラシ柄３１と、複数のブリッスル束４０の植毛部分を構成するブラシヘッド３２とを有する。またこの他に、各ブリッスル束４０が植毛された導電部材３３と、導電部材３３と電気的に接続された接続ターミナル３４とを有する。なお、ブラシヘッド３２は「植毛台」に相当する。
【００１８】
ブラシ柄３１およびブラシヘッド３２は、同じ材料により一体の部材として形成されている。導電部材３３は、ブラシヘッド３２のうちの外面に固定されている。接続ターミナル３４は、ブラシ柄３１およびブラシヘッド３２の内部においてブラシ柄３１およびブラシヘッド３２に固定されている。
【００１９】
ブラシ柄３１およびブラシヘッド３２の材料としては、非導電性を有する樹脂材料が用いられている。導電部材３３の材料としては、導電性を有する樹脂材料が用いられている。接続ターミナル３４の材料としては、導電性を有する金属材料が用いられている。各ブリッスル束４０の材料としては、非導電性を有する樹脂材料が用いられている。
【００２０】
装置本体１０は、各種の部品を収容する空間を有する本体ケース１１と、電動歯ブラシ１の電源となる２次電池１２と、ブラシ体３０を振動させる振動発生装置１３と、振動発生装置１３の動作を制御する制御部２０とを有する。またこの他に、２次電池１２から制御部２０への電力の供給および遮断を切り替える電源スイッチ１９を有する。２次電池１２、振動発生装置１３、および制御部２０は、本体ケース１１の内部に位置する。なお、２次電池１２は「電源」に相当する。
【００２１】
本体ケース１１は、導電性を有する導電ケース１８を有する。導電ケース１８は、本体ケース１１の上方ＺＡ１の部分に位置する。導電ケース１８の上端面は、キャップ５０と対向する本体ケース１１の上端面を形成している。導電ケース１８の材料としては、導電性を有する樹脂材料が用いられている。
【００２２】
振動発生装置１３は、ブラシ体３０に振動を伝達する駆動軸１４と、軸方向ＺＡにおいて駆動軸１４を振動させる電動モーター１５と、駆動軸１４を支持する転がり軸受１６と、転がり軸受１６を支持する軸受支持体１７とを有する。
【００２３】
駆動軸１４は、電動モーター１５の出力軸に固定され、かつブラシ柄３１の穴に嵌め込まれている。電動モーター１５は、本体ケース１１に固定されている。電動モーター１５としては、出力軸が軸方向ＺＡに往復駆動するリニアモータが用いられている。転がり軸受１６の外輪は、軸受支持体１７に固定されている。軸受支持体１７は、本体ケース１１に固定されている。駆動軸１４の材料、転がり軸受１６の外輪および転動体の材料、および軸受支持体１７の材料としては、金属材料が用いられている。
【００２４】
制御部２０は、電子部品が実装される回路基板２７と、導電ケース１８に接続される第１接続端子２１と、軸受支持体１７に接続される第２接続端子２２と、キャップ５０が装置本体１０に取り付けられたことを検知する磁気センサー２３とを有する。第１接続端子２１および第２接続端子２２は、回路基板２７上に固定されている。磁気センサー２３は、リード線（図示略）を介して回路基板２７と電気的に接続されている。
【００２５】
電源スイッチ１９としては、押ボタンスイッチが用いられている。電源スイッチ１９は、使用者により押し込み操作が行われる毎にオン信号またはオフ信号を制御部２０に送信する。
【００２６】
キャップ５０は、その本体を構成するキャップ本体５１と、ブリッスル束４０を殺菌する殺菌装置７０と、装置本体１０と殺菌装置７０とを電気的に接続する導電筒６０と、ブラシ体３０と殺菌装置７０とを電気的に接続する導電板５２とを有する。またこの他に、殺菌装置７０の外側から同装置７０を覆うカバー５３と、磁気センサー２３の検出対象としての磁石５４とを有する。なお、導電筒６０は「反射部材」に相当する。
【００２７】
図２（ａ）に示されるように、キャップ本体５１は、図１のブラシ体３０を左方ＺＢ１から覆う第１側壁５１Ａと、ブラシ体３０を右方ＺＢ２から覆う第２側壁５１Ｂと、ブラシ体３０を前方ＺＣ１から覆う第３側壁５１Ｃと、ブラシ体３０を後方ＺＣ２から覆う第４側壁５１Ｄとを有する。またこの他に、ブラシ体３０を上方ＺＡ１から覆う頂壁５１Ｅを有する。なお、第３側壁は「キャップのうちのブリッスル束の先端部分と対向する部分」に相当する。
【００２８】
図２（ｂ）に示されるように、第３側壁５１Ｃは、殺菌装置７０を取り付ける取付孔５１Ｆを有する。取付孔５１Ｆは、キャップ５０内の空間と外部の空間とを連通している。第１側壁５１Ａ〜第４側壁５１Ｄおよび頂壁５１Ｅは、同じ材料により一体の部材として形成されている。キャップ本体５１の材料としては、非導電性を有する樹脂材料が用いられている。
【００２９】
導電筒６０は、金属板を折り曲げることにより形成された断面Ｃ形状を有する。また、キャップ本体５１の第１側壁５１Ａ〜第４側壁５１Ｄの内面に固定されている。また、キャップ本体５１の第１側壁５１Ａに固定される第１側壁６１と、キャップ本体５１の第２側壁５１Ｂに固定される第２側壁６２と、キャップ本体５１の第３側壁５１Ｃに固定される第３側壁６３と、キャップ本体５１の第４側壁５１Ｄに固定される第４側壁６４とを有する。
【００３０】
第３側壁６３は、幅方向ＺＢの中央部分に隙間６５を有する一対の側壁として形成されている。第１側壁６１の内面および第２側壁６２の内面は、鏡面加工が施された鏡面部分６６を有する。鏡面部分６６は、導電筒６０のうちの鏡面部分６６以外の部分よりも光の反射率が高い。
【００３１】
導電筒６０は、第１側壁６１および第２側壁６２を互いに接近させるように弾性変形させた状態、すなわち第３側壁６３の隙間６５の幅方向ＺＢの寸法を小さくした状態においてキャップ本体５１に挿入される。このため、導電筒６０の復元力Ｆにより導電筒６０の第１側壁６１は、キャップ本体５１の第１側壁５１Ａを押す。導電筒６０の第２側壁６２は、キャップ本体５１の第２側壁５１Ｂを押す。
【００３２】
図１に示されるように、カバー５３は、キャップ本体５１の第３側壁５１Ｃの取付孔５１Ｆに固定されている。カバー５３の外面は、キャップ本体５１の外面の一部を形成している。カバー５３の材料としては、キャップ本体５１と同じ樹脂材料が用いられている。
【００３３】
磁石５４は、キャップ本体５１の第３側壁５１Ｃの下端部分の内面に固定されている。磁石５４の磁束は、キャップ５０が装置本体１０に取り付けられた状態において、磁気センサー２３に鎖交する。磁気センサー２３は、磁石５４の磁束に応じた出力を制御部２０に出力する。
【００３４】
殺菌装置７０は、キャップ本体５１の取付孔５１Ｆに嵌め込まれている。また、図１（ｂ）に示されるように、奥行方向ＺＣにおいて空間を介してブリッスル束４０と対向している。また、図１（ｃ）に示されるように、ブラシヘッド３２の上端部分のブリッスル束４０と対向している。
【００３５】
図３を参照して、殺菌装置７０の詳細な構成について説明する。
殺菌装置７０は、殺菌作用を有する紫外線を図１の各ブリッスル束４０に照射するＬＥＤ７１と、ＬＥＤ７１が実装される回路基板７２と、図１の導電板５２および図１の導電筒６０の第３側壁６３と電気的に接続する一対の端子７４とを有する。またこの他に、各端子７４に回路基板７２を固定する固定部材７５を有する。ＬＥＤ７１としては、チップ型の発光ダイオードが用いられている。なお、ＬＥＤ７１は「光源」に相当する。
【００３６】
回路基板７２は、ＬＥＤ７１と各端子７４とを電気的に接続する一対の配線部分７３と、配線部分７３が形成される実装面７２Ａと、実装面７２Ａ上に塗布されたコーティング層とを有する。またこの他に、ＬＥＤ７１に過大な電力が供給されることを抑制する保護抵抗７６（図５参照）を有する。
【００３７】
各端子７４は、固定部材７５により回路基板７２の実装面７２Ａに固定されている。また、キャップ５０内において、導電筒６０と接触している。各端子７４は、金属板により形成されている。
【００３８】
図４を参照して、殺菌装置７０がＬＥＤ７１により紫外線を照射したときの紫外線の経路について説明する。以下では、ブリッスル束４０に直接的に照射される紫外線を「紫外線ＬＶ１」とし、ブリッスル束４０から外れた範囲に照射される紫外線を「紫外線ＬＶ２」とする。
【００３９】
紫外線ＬＶ１の一部は、ブリッスル束４０を透過する。そして、紫外線ＬＶ１は、導電筒６０の第１側壁６１および第２側壁６２において反射し、ブリッスル束４０の側面部分に入射する。
【００４０】
紫外線ＬＶ２は、導電筒６０の第１側壁６１および第２側壁６２に入射する。そして、紫外線ＬＶ２は、第１側壁６１および第２側壁６２において反射し、ブリッスル束４０の側面部分に入射する。
【００４１】
図５を参照して、制御部２０の構成について説明する。
制御部２０は、２次電池１２への電力の供給状態を制御する充放電回路２４と、磁気センサー２３の出力に基づいて装置本体１０に対するキャップ５０の取付状態を検出する磁気検出回路２５と、ＬＥＤ７１の点灯時間を制御するタイマー回路２６とを有する。タイマー回路２６は、ＬＥＤ７１の点灯時間に相当する時間として、キャップ５０が装置本体１０に取り付けられてからの経過時間（以下、「取付後時間」）をカウントする。
【００４２】
電動歯ブラシ１の各部品は、以下の電気的な接続関係を有する。
（Ａ）２次電池１２の陽極は、制御部２０の第１接続端子２１と接続する。
（Ｂ）第１接続端子２１は、導電ケース１８と接続する。
（Ｃ）導電ケース１８は、導電筒６０と接続する。
（Ｄ）導電筒６０は、殺菌装置７０の一方の端子７４と接続する。
（Ｅ）２次電池１２の陰極は、制御部２０の第２接続端子２２と接続する。
（Ｆ）第２接続端子２２は、軸受支持体１７と接続する。
（Ｇ）軸受支持体１７は、転がり軸受１６と接続する。
（Ｈ）転がり軸受１６は、駆動軸１４と接続する。
（Ｉ）駆動軸１４は、接続ターミナル３４と接続する。
（Ｊ）接続ターミナル３４は、導電部材３３と接続する。
（Ｋ）導電部材３３は、導電板５２と接続する。
（Ｌ）導電板５２は、殺菌装置７０の他方の端子７４に接続する。
【００４３】
電動歯ブラシ１の通電回路について説明する。
電動歯ブラシ１は、キャップ５０が装置本体１０に取り付けられているとき、殺菌装置７０に電力を供給するための通電回路、すなわち図５に示される通電回路を形成する。この通電回路は、キャップ５０において通電経路を形成するキャップ通電経路と、ブラシ体３０において通電経路を形成するブラシ体通電経路と、装置本体１０において通電経路を形成する第１本体通電経路および第２本体通電経路とを有する。
【００４４】
各通電経路の構成内容を以下に示す。
（Ａ）キャップ通電経路は、キャップ５０の導電筒６０と、殺菌装置７０内の通電経路と、キャップ５０の導電板５２とにより構成されている。
（Ｂ）ブラシ体通電経路は、ブラシ体３０の接続ターミナル３４および導電部材３３により構成されている。
（Ｃ）第１本体通電経路は、２次電池１２の陽極から制御部２０の第１接続端子２１までの通電経路と、装置本体１０の導電ケース１８とにより構成されている。
（Ｄ）第２本体通電経路は、２次電池１２の陰極から制御部２０の第２接続端子２２までの通電経路、装置本体１０の軸受支持体１７、転がり軸受１６、および駆動軸１４により構成されている。
【００４５】
通電回路は、２次電池１２、制御部２０、第１接続端子２１、導電ケース１８、導電筒６０、殺菌装置７０、導電板５２、導電部材３３、接続ターミナル３４、駆動軸１４、転がり軸受１６、軸受支持体１７、第２接続端子２２、および制御部２０の順に電流を流す。これにより、２次電池１２から殺菌装置７０に電力が供給される。
【００４６】
殺菌装置７０の点灯に関する動作を以下に示す。
ＬＥＤ７１は、キャップ５０が装置本体１０に取り付けられたとき、２次電池１２から供給された電力により点灯する。また、制御部２０により電力の供給が停止されるまで継続して点灯する。
【００４７】
制御部２０は、磁気センサー２３から信号を受信したとき、タイマー回路２６により取付後時間のカウントを開始する。そして、取付後時間が所定時間以上のとき、すなわちＬＥＤ７１の点灯時間が所定時間以上のとき、ＬＥＤ７１を消灯する。なお、所定時間は、ＬＥＤ７１により各ブリッスル束４０を十分に殺菌するために必要な時間に相当し、試験等の結果に基づいて予め設定されている。
【００４８】
本実施形態の電動歯ブラシ１は以下の効果を奏する。
（１）電動歯ブラシ１のキャップ５０は、殺菌装置７０と、導電筒６０に形成された鏡面部分６６とを有する。この構成によれば、歯ブラシを収容するためのケースに殺菌装置を有する構成とは異なり、ケースを携帯しなくともブリッスル束４０の殺菌効果を得ることが可能になる。すなわち電動歯ブラシ１は、ブリッスル束４０の殺菌作用および優れた携帯性を有する。
【００４９】
（２）導電筒６０は、キャップ本体５１の第１側壁５１Ａおよび第２側壁５１Ｂを押す。この構成によれば、導電筒６０が接着または溶着によりキャップ５０に固定される構成よりもキャップ５０に導電筒６０を簡単に固定できる。
【００５０】
（３）導電筒６０の鏡面部分６６は、キャップ通電経路を構成する。この構成によれば、鏡面部分６６と通電回路（キャップ通電回路）とを個別に形成する場合と比較して、キャップ５０の構成を簡単化できる。
【００５１】
（４）２次電池１２は、殺菌装置７０の電源を兼ねる。この構成によれば、殺菌装置７０の専用の電源を有する構成と比較して、電動歯ブラシ１の部品点数が少なくなる。また、電動歯ブラシ１が軽量化する。
【００５２】
（第２実施形態）
図６に示される本実施形態の電動歯ブラシ１は、図１に示される第１実施形態の電動歯ブラシ１との主要な相違点として、次の相違点を有する。すなわち、第１実施形態の電動歯ブラシ１は、キャップ５０に位置する殺菌装置７０と、振動発生装置１３とを有する。一方、本実施形態の電動歯ブラシ１は、装置本体１０内に位置する殺菌装置１３０と、振動発生装置１２０とを有する。以下では、第１実施形態の電動歯ブラシ１と異なる点の詳細を説明し、同実施形態と共通する構成については同一の符号を付してその説明の一部または全部を省略する。
【００５３】
本実施形態のキャップ５０は、第１実施形態のキャップ５０から殺菌装置７０、導電筒６０、導電板５２、および取付孔５１Ｆを省略している。また、キャップ本体５１の第１側壁５１Ａ、第２側壁５１Ｂ、第３側壁５１Ｃ、および頂壁５１Ｅに鏡面部分５５を有する。鏡面部分５５は、第１側壁５１Ａ、第２側壁５１Ｂ、第３側壁５１Ｃ、および頂壁５１Ｅの内面に鏡面加工を施すことにより形成されている。
【００５４】
本実施形態の制御部２０は、第１実施形態の制御部２０から第１接続端子２１および第２接続端子２２を省略している。また装置本体１０は、第１実施形態の本体ケース１１に代わる本体ケース８０と、第１実施形態の電源スイッチ１９と同様の機能を有する電源スイッチ（図示略）とを有する。
【００５５】
本体ケース８０は、ブラシ体９０を取り付けるための取付軸８１と、紫外線を透過するカバー８３とを有する。取付軸８１は、筒型の形状を有する。取付軸８１のうちの上方ＺＡ１の壁部は、開口部分８２を有する。カバー８３は、開口部分８２に嵌め込まれている。カバー８３の材料としては、透明な樹脂材料であるＡＢＳ樹脂が用いられている。なお、ブラシ体９０は「衛生部分」に相当する。
【００５６】
ブラシ体９０のブラシ柄９１は、取付軸８１を収容する収容部分９２と、ブラシ柄９１の外部と収容部分９２とを互いに連通する開口部分９３と、紫外線を透過する透光部材１００と、紫外線を含む光を反射する反射鏡１１０とを有する。なお、反射鏡１１０は「鏡面部分」に相当する。
【００５７】
透光部材１００は、開口部分９３に嵌め込まれている。透光部材１００の材料としては、透明な樹脂材料であるＡＢＳ樹脂が用いられている。反射鏡１１０は、ブラシ柄９１のうちの左方ＺＢ１の側壁、後方ＺＣ２の側壁、および右方ＺＢ２の側壁にわたり形成されている。
【００５８】
取付軸８１は、ブラシ体９０に振動を付与する振動発生装置１２０と、ブリッスル束４０を殺菌する殺菌装置１３０と、振動発生装置１２０および殺菌装置１３０を収容する支持ケース１４０とを有する。取付軸８１の外面は、ブラシ柄９１の内面と接触している。支持ケース１４０、振動発生装置１２０、および殺菌装置１３０は、取付軸８１の内部に位置する。支持ケース１４０は、取付軸８１に固定されている。
【００５９】
振動発生装置１２０は、出力軸１２２を有する電動モーター１２１と、出力軸１２２の回転軸に対して偏心した回転中心を有する偏心鐘１２３と、電動モーター１２１の駆動用により生じる振動を本体ケース８０に伝達する伝達部材１２４とを有する。電動モーター１２１は、支持ケース１４０に固定されている。偏心鐘１２３は、電動モーター１２１の出力軸１２２に固定されている。伝達部材１２４は、電動モーター１２１の外面および取付軸８１の内面に接触している。
【００６０】
殺菌装置１３０は、殺菌作用を有する紫外線を各ブリッスル束４０に照射するＬＥＤ１３１と、ＬＥＤ１３１と制御部２０とを互いに接続する接続部材１３２とを有する。ＬＥＤ１３１としては、砲弾型の発光ダイオードが用いられている。なお、ＬＥＤ１３１は「光源」に相当する。
【００６１】
図６を参照して、殺菌装置１３０がＬＥＤ１３１により紫外線を照射したときの紫外線の経路について説明する。以下では、ブリッスル束４０に直接的に照射される紫外線を「紫外線ＬＶ３」とし、ＬＥＤ１３１からキャップ５０の鏡面部分５５に直接的に照射される紫外線を「紫外線ＬＶ４」とし、反射鏡１１０に照射される紫外線を「紫外線ＬＶ５」とする。なお、図６（ａ）においては、紫外線ＬＶ３〜ＬＶ５の一例を示している。
【００６２】
紫外線ＬＶ３の一部は、ブリッスル束４０を透過する。そして、ブリッスル束４０を透過した紫外線ＬＶ３は、キャップ本体５１の第３側壁５１Ｃの鏡面部分５５および頂壁５１Ｅの鏡面部分５５において反射し、ブリッスル束４０の側面部分または先端部分に入射する。
【００６３】
紫外線ＬＶ４の一部は、第３側壁５１Ｃの鏡面部分５５において反射し、ブリッスル束４０の先端部分または側面部分に入射する。また、紫外線ＬＶ４の他の一部は、第１側壁５１Ａの鏡面部分５５および第２側壁５１Ｂの鏡面部分５５において反射し、ブリッスル束４０の側面部分に入射する。
【００６４】
紫外線ＬＶ５は、反射鏡１１０において反射し、透光部材１００を介して第３側壁５１Ｃに入射する。そして、紫外線ＬＶ５は、第３側壁５１Ｃにおいて反射し、ブリッスル束４０の先端部分または側面部分に入射する。また、紫外線ＬＶ５の一部は、反射鏡１１０において反射し、透光部材１００を介してブリッスル束４０の側面部分に入射する。
【００６５】
本実施形態の電動歯ブラシ１は、第１実施形態の電動歯ブラシ１が奏する（１）、（２）、および（４）の効果と同様の効果に加え、以下の効果を奏する。
（５）ブラシ柄９１は、反射鏡１１０を有する。この構成によれば、ＬＥＤ１３１から照射された紫外線は、反射鏡１１０により反射されて各ブリッスル束４０に照射される。このため、ＬＥＤ１３１から照射された紫外線は、効率よく各ブリッスル束４０に照射される。
【００６６】
（その他の実施形態）
本発明は、第１および第２実施形態とは別の実施形態を含む。以下、本発明のその他の実施形態としての各実施形態の変形例を示す。なお、以下の各変形例は、互いに組み合わせることもできる。
【００６７】
・第１実施形態の電動歯ブラシ１は、キャップ５０の導電筒６０に鏡面部分６６を有する。一方、変形例の電動歯ブラシ１は、以下の（Ａ）〜（Ｃ）の少なくとも１つの鏡面部分をさらに有する。または、導電筒６０に代えて以下の（Ｄ）の鏡面部分を有する。なお、下記（Ａ）〜（Ｄ）の鏡面部分は、金属蒸着により形成することができる。また、金属部品の表面を下記（Ａ）〜（Ｄ）の鏡面部分として用いることもできる。
（Ａ）第３側壁５１Ｃのうちの導電筒６０よりも上方ＺＡ１に形成される鏡面部分。
（Ｂ）ブラシヘッド３２の前方ＺＣ１側の面に形成される鏡面部分。
（Ｃ）導電板５２の内面に形成される鏡面部分３５（図７参照）。
（Ｄ）キャップ本体５１の内面に形成される鏡面部分。
【００６８】
・第１実施形態のキャップ５０は、キャップ本体５１および導電筒６０を個別に有する。一方、変形例のキャップ５０は、キャップ本体５１と導電筒６０とを一体的に成型する。導電筒６０の材料としては、導電性を有する樹脂材料が用いられる。
【００６９】
・第２実施形態のキャップ５０は、キャップ本体５１に鏡面加工を施すことにより鏡面部分５５を形成している。一方、変形例のキャップ５０は、キャップ本体５１とは各別に形成され、かつキャップ本体５１に金属板等の紫外線を反射することのできる反射部材を固定する。また、他の変形例のキャップ５０は、キャップ本体５１の内面に金属蒸着を施すことにより鏡面部分５５を形成する。
【００７０】
・第１実施形態の電動歯ブラシ１は、キャップ本体５１の第３側壁５１Ｃに殺菌装置７０が固定された構成を有する。一方、変形例の電動歯ブラシ１は、以下の（Ｃ１）または（Ｃ２）の部分に殺菌装置７０が固定された構成を有する。
【００７１】
（Ｃ１）図８に示されるように、電動歯ブラシ１は、キャップ本体５１の第２側壁５１Ｂに殺菌装置７０が固定された構成を有する。キャップ本体５１の取付孔５１Ｆは、第２側壁５１Ｂに位置する。導電筒６０は、第３側壁６３の隙間６５に代えて、第２側壁６２に隙間６５を有する。またこの場合、鏡面部分６６は、導電筒６０の第１側壁６１および第３側壁６３に形成される。
【００７２】
（Ｃ２）図９に示されるように、電動歯ブラシ１は、キャップ本体５１の頂壁５１Ｅに殺菌装置７０が固定された構成を有する。キャップ本体５１の取付孔５１Ｆは、頂壁５１Ｅに位置する。導電板５２の奥行方向ＺＣの寸法は、第１実施形態の導電板５２の奥行方向ＺＣの寸法よりも小さい。またこの場合、鏡面部分６６は、導電筒６０の第１側壁６１、第２側壁６２、および第３側壁６３に形成される。
【００７３】
・第１実施形態の電動歯ブラシ１は、ブラシヘッド３２の導電部材３３とキャップ５０の導電板５２とが接触することにより、ブラシ体３０およびキャップ５０が互いに電気的に接続されている。一方、変形例の電動歯ブラシ１は、図１０に示されるように、ブリッスル束４０とキャップ５０の導電リング５６とが接触することにより、ブラシ体３０およびキャップ５０が互いに電気的に接続されている。
【００７４】
導電筒６０は、キャップ本体５１のうちのブリッスル束４０よりも下方ＺＡ２の部分に固定されている。導電筒６０は、殺菌装置７０の一方の端子７４に接触する。
導電リング５６は、キャップ本体５１に固定される。導電リング５６は、キャップ５０のうちのブリッスル束４０と奥行方向ＺＣに対向する部分に位置する。導電リング５６は、殺菌装置７０の他方の端子７４に接触する。導電リング５６の内面には、鏡面部分５６Ａが形成される。
【００７５】
各ブリッスル束４０は、複数のブリッスル４１と、複数のブリッスル４１が互いに溶着された溶着部分４４とを有する。図１０（ｂ）に示されるように、各ブリッスル４１は、導電性を有する芯部４２と、非導電性を有する鞘部４３とを有する。鞘部４３は、芯部４２の外周面を被覆する。芯部４２の先端部分４２Ａは、鞘部４３よりも前方ＺＣ１に突出する。
【００７６】
各ブリッスル束４０の各先端部分４２Ａは、図１の装置本体１０にキャップ５０が取り付けられたとき、導電リング５６の内面に接触する。これにより、図１の２次電池１２の陰極および殺菌装置７０の他方の端子７４は、制御部２０の第２接続端子２２、軸受支持体１７、転がり軸受１６、駆動軸１４、接続ターミナル３４、導電部材３３、ブリッスル束４０の芯部４２を介して互いに接続される。
【００７７】
・第１実施形態の電動歯ブラシ１は、第１本体通電経路を２次電池１２の陽極に接続し、かつ第２本体通電経路を２次電池１２の陰極に接続している。一方、変形例の電動歯ブラシ１は、第１本体通電経路を２次電池１２の陰極に接続し、かつ第２本体通電経路を２次電池１２の陽極に接続する。この場合、保護抵抗７６はＬＥＤ７１の陽極と導電板５２を互いに電気的に接続する。
【００７８】
・第１および第２実施形態の電動歯ブラシ１は、２次電池１２がＬＥＤ７１，１３１の電源を兼ねる。一方、変形例の電動歯ブラシ１は、ＬＥＤ７１，１３１の電源として２次電池１２とは別の２次電池を有する。
【００７９】
・第１および第２実施形態のブラシ体３０，９０は、装置本体１０から取り外すことが可能な構成を有する。一方、変形例のブラシ体３０，９０は、装置本体１０と一体化している。
【００８０】
・第１および第２実施形態のキャップ５０は、装置本体１０に直接的に取り付けられる構成を有する。一方、変形例のキャップ５０は、ブラシ体３０，９０に取り付けられる構成、すなわちブラシ体３０，９０を介して間接的に装置本体１０に取り付けられる構成を有する。
【００８１】
・第１および第２実施形態の殺菌装置７０，１３０は、殺菌作用を有する波長の紫外線を照射するＬＥＤ７１，１３１を有する。一方、変形例の殺菌装置７０，１３０は、殺菌作用を有する波長の紫外線を照射する蛍光灯を有する。
【００８２】
・第１実施形態の殺菌装置７０は、ＬＥＤ７１がキャップ５０の第３側壁５１Ｃの内面よりも前方ＺＣ１側に位置する。一方、変形例の殺菌装置７０は、ＬＥＤ７１の少なくとも一部がキャップ５０の第３側壁５１Ｃの内面よりも後方ＺＣ２側に位置する。
【００８３】
・第２実施形態の電動歯ブラシ１は、ＬＥＤ１３１の紫外線がカバー８３を透過してブラシ体９０の反射鏡１１０により反射する。一方、変形例の電動歯ブラシ１は、図１１に示されるように、装置本体１０に鏡面部分１５１を有する。取付軸８１は、開口部分８２の周縁から上方ＺＡ１に向けて延びる周壁１５０を有する。鏡面部分１５１は、周壁１５０の内面に鏡面加工を施すことにより形成される。周壁１５０は、ＬＥＤ１３１を左方ＺＢ１、右方ＺＢ２、および後方ＺＣ２から覆うように取付軸８１に形成される。
【００８４】
・上記変形例の電動歯ブラシ１は、キャップ５０に鏡面部分５５を有し、ブラシ体９０に反射鏡１１０を有し、装置本体１０に鏡面部分１５１を有する。一方、上記変形例の電動歯ブラシ１とは別の変形例の電動歯ブラシ１は、上記変形例の電動歯ブラシ１からキャップ５０の鏡面部分５５および反射鏡１１０の少なくとも一方を省略する。
【００８５】
・第１実施形態の電動歯ブラシ１のキャップ５０は、１つの殺菌装置７０を有する。一方、変形例の電動歯ブラシ１のキャップ５０は、複数の殺菌装置７０を有する。複数の殺菌装置７０は、キャップ本体５１の第１側壁５１Ａ、第２側壁５１Ｂ、第３側壁５１Ｃ、および第４側壁５１Ｄの少なくとも２つの側壁に有する。
【００８６】
・第１実施形態の電動歯ブラシ１は、キャップ５０に殺菌装置７０を有する。また、第２実施形態の電動歯ブラシ１は、装置本体１０に殺菌装置１３０を有する。一方、変形例の電動歯ブラシ１は、殺菌装置７０および殺菌装置１３０の両方を有する。また、別の変形例の電動歯ブラシ１は、殺菌装置７０および殺菌装置１３０の少なくとも一方に加えて、ブラシ体９０に殺菌装置を有する。
【００８７】
・本発明は、第１および第２実施形態に例示される電動歯ブラシ１以外の他の口腔衛生装置に適用することもできる。他の口腔衛生装置としては、例えばステインケア装置が挙げられる。要するに、殺菌装置を有する口腔衛生装置であれば、いずれの口腔衛生装置に対しても本発明を適用することができる。
【符号の説明】
【００８８】
１…電動歯ブラシ（口腔衛生装置）、１０…装置本体、１２…２次電池（電源）、３０…ブラシ体（衛生部分）、３２…ブラシヘッド（植毛台）、３５…鏡面部分、４０…ブリッスル束、５０…キャップ、５５…鏡面部分、５６Ａ…鏡面部分、６０…導電筒（反射部材）、６６…鏡面部分、７１…ＬＥＤ（光源）、９０…ブラシ体（衛生部分）、１１０…反射鏡（鏡面部分）、１３１…ＬＥＤ（光源）、１５１…鏡面部分。
【図１】
2013111129.tif 000003
【図２】
2013111129.tif 000004
【図３】
2013111129.tif 000005
【図４】
2013111129.tif 000006
【図５】
2013111129.tif 000007
【図６】
2013111129.tif 000008
【図７】
2013111129.tif 000009
【図８】
2013111129.tif 000010
【図９】
2013111129.tif 000011
【図１０】
2013111129.tif 000012
【図１１】
2013111129.tif 000013